(57)【要約】【課題】  光触媒を用いて有害化学物質を分解して無害化や脱臭を行ない、ウィルスなどを殺菌する空気清浄装置に関し、光触媒の充分に励起され活性化している部分を主に通過させる空気清浄装置を提供する。【解決手段】  細長い紫外線光源14を光触媒坦持体12と平行に接近させて配置し、光触媒坦持体12の紫外線光源14との最接近部15と紫外線光源14の延長線16上に細長い空気取り込み口４を設け、清浄化すべき空気20を細長い紫外線光源14に合わせた狭い幅の層状流21として空気取り込み口４から取り込む。【選択図】        【図２】
2005245551.tif 000002
【特許請求の範囲】
【請求項１】
光触媒を坦持した光触媒坦持体と紫外線光源と送風機を用いた空気清浄装置において、細長い紫外線光源を光触媒坦持体と平行に接近させて配置し、光触媒坦持体の紫外線光源との最接近部と紫外線光源の延長線上に細長い空気取り込み口を設け、清浄化すべき空気を細長い紫外線光源に合わせた狭い幅の層状流として空気取り込み口から取り込む光触媒を用いた空気清浄装置。
【請求項２】
光触媒坦持体は紫外線光源を囲むように配置し、紫外線光源と空気取り込み口の間の光触媒坦持体を開口し、層状流を開口から光触媒坦持体内に取り込むようにした請求項１記載の光触媒を用いた空気清浄装置。
【請求項３】
筐体の側面に複数の空気取り込み口を設け、紫外線光源を垂直方向に長く設け、光触媒坦持体は紫外線光源を囲むように配置し、複数の空気取り込み口に対応する光触媒坦持体と紫外線光源のセットを筐体内の外周方向に円形に配列した請求項１または２記載の光触媒を用いた空気清浄装置。
【請求項４】
空気取り込み口の幅を調節可能とし、層状流の流速を清浄化すべき空気の汚染物質の多少に対応して増減する請求項１から３記載の光触媒を用いた空気清浄装置。
【発明の詳細な説明】
【技術分野】
【０００１】
本発明は、光触媒を用いて有害化学物質を分解して無害化や脱臭を行ない、ウィルスなどを殺菌する空気清浄装置に関し、特に清浄化すべき空気流の制御装置に関する。
【背景技術】
【０００２】
従来、酸化チタンなどの光触媒に紫外線光源（ブラックライト、水銀灯など）を当てて励起させてＯＨラジカルを生成し、その活性化した光触媒に清浄化すべき空気を通過させて汚染物質を分解し、無害化や脱臭あるいは殺菌をする空気清浄装置は知られている。
【０００３】
例えば、特開平３−１０６４２０号公報には、二本の細長い蛍光管状の紫外線光源を方形に囲む光触媒坦持体を設け、その方形に配置した光触媒坦持体を清浄化すべき空気流が通過する空気清浄装置が示されている。
【０００４】
この光触媒坦持体は、網状の構造体に光触媒を坦持したもので、光触媒坦持体を通過させることにより清浄化すべき空気と光触媒の接触効率が良くなることが示されている。
【０００５】
また、特開平１１−２７６５６３号公報には、紫外線光源を方形に囲む光触媒坦持体に送風機によって通風し、光触媒の能力に合わせて風量を調節するため、最大効率で空気清浄を行うことが可能と、示されている。
【特許文献１】特開平３−１０６４２０号公報
【特許文献２】特開平１１−２７６５６３号公報
【発明の開示】
【発明が解決しようとする課題】
【０００６】
前記の特開平３−１０６４２０号公報における技術では、空気の取り込み口は多孔のグリルであり、特開平１１−２７６５６３号公報における技術では、空気の取り込み口は除塵フィルターとなっている。つまり、空気清浄装置に取り込まれた空気は装置内全面を流れ、光触媒坦持体の全面をほぼ均等に通過するものである。
【０００７】
一方、光触媒は紫外線光源に近い部分は充分に励起され活性化しているが、紫外線光源から遠い部分は充分に励起されずあまり活性化していない。空気を光触媒坦持体の全面を通過させると、あまり活性化していない部分にも均等に流れ、分解反応の効率が悪くなるという問題があった。
【０００８】
また、空気を通過させる光触媒坦持体における光触媒の坦持体には、セラミックス質の多孔性基材のように比較的空気を通し易いものもあるが、アルミ繊維やガラス繊維の基材のように空気を通しにくいものもある。この空気を通しにくい光触媒坦持体で紫外線光源を囲むと、背圧が高くなって空気が充分に光触媒坦持体を通過することができないという問題があった。
【０００９】
また、前記の特開平３−１０６４２０号公報および特開平１１−２７６５６３号公報における技術では、紫外線光源を水平方向に長く設けているから、空気清浄装置の設置面積はその紫外線光源の長さと使用本数に制約を受けて、清浄化能力を高めようとすると設置面積がそれだけ大きくなるという問題があった。
【００１０】
また、前記の特開平１１−２７６５６３号公報における技術では、光触媒の能力に合わせて風量を調節するものであるが、空気清浄装置に備えた光触媒の能力が時間の経過と共に変化するものではなく、むしろ空気中に含まれる汚染物質の量が時間や場所によって変化することは充分にありうる。
【００１１】
つまり、汚染物質の量が多い場合には、ゆっくりと光触媒坦持体を通過させて未分解のまま通過する汚染物質の量を減少させる必要がある。また、汚染物質の量が少ない場合には、素早く光触媒坦持体を通過させて処理空気量を多くした方が効率がよい。
【００１２】
そこで本発明は、光触媒の充分に励起され活性化している部分を主に通過させ、空気を通しにくい光触媒坦持体でも充分に光触媒坦持体を通過させ、清浄化能力を高めても設置面積がそれほど大きくならない、汚染物質の多少が有る対象空気に合わせて光触媒坦持体を通過させる流速を調整できる、光触媒を用いた空気清浄装置を提供することを目的とする。
【課題を解決するための手段】
【００１３】
請求項１の発明による光触媒を用いた空気清浄装置は、光触媒を坦持した光触媒坦持体12，41，51と紫外線光源14と送風機９を用いた空気清浄装置１，30，40，50，70において、細長い紫外線光源14を光触媒坦持体12，41，51と平行に接近させて配置し、光触媒坦持体12，41，51の紫外線光源14との最接近部15と紫外線光源14の延長線16上に細長い空気取り込み口４，６，32，57，59を設け、清浄化すべき空気20を細長い紫外線光源14に合わせた狭い幅の層状流21，23，62，63として空気取り込み口４，６，32，57，59から取り込むものである。
【００１４】
請求項２の発明による光触媒を用いた空気清浄装置は、光触媒坦持体51は紫外線光源14を囲むように配置し、紫外線光源14と空気取り込み口４，57，59の間の光触媒坦持体51を開口52し、層状流21，62，63を開口52から光触媒坦持体51内に取り込むようにしたものである。
【００１５】
請求項３の発明による光触媒を用いた空気清浄装置は、筐体71の側面に複数の空気取り込み口４を設け、紫外線光源14を垂直方向に長く設け、光触媒坦持体12は紫外線光源14を囲むように配置し、複数の空気取り込み口４に対応する光触媒坦持体12と紫外線光源14のセットを筐体71内の外周方向に円形に配列したものである。
【００１６】
請求項４の発明による光触媒を用いた空気清浄装置は、空気取り込み口4a，4bの幅を調節可能とし、層状流21の流速を清浄化すべき空気20の汚染物質の多少に対応して増減するものである。
【発明の効果】
【００１７】
請求項１の発明によれば、光触媒坦持体の紫外線光源との最接近部と紫外線光源の延長線上に細長い空気取り込み口を設け、清浄化すべき空気を細長い紫外線光源に合わせた狭い幅の層状流として空気取り込み口から取り込み、光触媒の充分に励起され活性化している最接近部を主に通過するから、光触媒による分解反応の効率が良い。
【００１８】
請求項２の発明によれば、光触媒坦持体は紫外線光源を囲むように配置し、紫外線光源と空気取り込み口の間の光触媒坦持体を開口し、層状流を開口から光触媒坦持体内に取り込むようにし、紫外線光源を囲む光触媒坦持体の面積は開口の面積より多くなるから、空気を通しにくい光触媒坦持体でも背圧を高めることなく充分に光触媒坦持体を通過できる。
【００１９】
請求項３の発明によれば、筐体の側面に複数の空気取り込み口を設け、紫外線光源を垂直方向に長く設け、光触媒坦持体は紫外線光源を囲むように配置し、複数の空気取り込み口に対応する光触媒坦持体と紫外線光源のセットを筐体内の外周方向に円形に配列したから、紫外線光源を長くし出力を上げて清浄化能力を高めても、高さが高くなるだけで設置面積は変わらず、狭い場所にも設置できる。
【００２０】
請求項４の発明によれば、空気取り込み口の幅を調節可能とし、層状流の流速を清浄化すべき空気の汚染物質の多少に対応して増減し、汚染物質の量が多い場合にはゆっくりと光触媒坦持体を通過させて分解効率を高められ、汚染物質の量が少ない場合には素早く光触媒坦持体を通過させて処理空気量を多くできる。
【発明を実施するための最良の形態】
【００２１】
光触媒の充分に励起され活性化している部分を主に通過させるという目的を、光触媒坦持体の紫外線光源との最接近部と紫外線光源の延長線上に細長い空気取り込み口を設け、清浄化すべき空気を細長い紫外線光源に合わせた狭い幅の層状流として空気取り込み口から取り込むことで実現した。
【実施例１】
【００２２】
図１は、本発明の第１実施例に係る空気清浄装置１の上面を切り欠いた平面図であって、空気清浄装置１は比較的小型の家庭用の場合を想定しており、空気清浄装置１には箱状の筐体２内に光触媒坦持体12と紫外線光源14と送風機９を設ける。
【００２３】
筐体２の前方板３に空気取り込み口４を設け、筐体２の後方板10に空気排出口11を設け、光触媒坦持体12は前方板３側に、送風機９は後方板10側に設ける。
【００２４】
光触媒坦持体12は、セラミックス質の多孔性基材の坦持体に酸化チタンなどの光反応性半導体を坦持させた、所定の厚みがあり硬質の光触媒の坦持体を示している。
【００２５】
光触媒坦持体12は、垂直方向を軸芯として４枚の坦持体の板を方形に組合せ、その内方中心に細長い蛍光管状の紫外線光源14を垂直方向に長く設ける。つまり、細長い紫外線光源14を４枚の光触媒坦持体12とそれぞれ平行に接近させて配置する。この光触媒坦持体12と紫外線光源14のセットを２列２段に筐体２内の前方板３側から設ける。
【００２６】
紫外線光源14は光触媒坦持体12を励起させる波長の紫外光を発するもので、ブラックライトや水銀灯などである。実施例では10ワット（紫外線出力１．２Ｗ）のブラックライト（最大波長３５２ｎｍ）を用いた。
【００２７】
筐体２内の光触媒坦持体12と紫外線光源14のセットの１段目と２段目の間に１段目中仕切板５を設け、光触媒坦持体12と紫外線光源14のセットの２段目と送風機９の間に２段目中仕切板７を設ける。
【００２８】
光触媒坦持体12は略コの字形の保持枠13に保持され、光触媒坦持体12と紫外線光源14のセットの１段目用の保持枠13は前方板３に取り付けられ、光触媒坦持体12と紫外線光源14のセットの２段目用の保持枠13は１段目中仕切板５に取り付けられる。保持枠13の光触媒坦持体12と接する部分には多数の小孔を設けて空気を流通させ、他の部分は空気が流通しないように密閉される。
【００２９】
１段目の光触媒坦持体12の紫外線光源14との最接近部15と紫外線光源14の延長線16上に細長い空気取り込み口４を設け、空気取り込み口４から清浄化すべき空気20を細長い紫外線光源14に合わせた狭い幅の層状流21として取り込む。
【００３０】
２段目の光触媒坦持体12の紫外線光源14との最接近部15と紫外線光源14の延長線16上に、空気取り込み口４よりはやや広幅の、１段目中仕切板５には空気流通口６を、２段目中仕切板７には空気流通口８を設ける。１段目中仕切板５の空気流通口６は、２段目の光触媒坦持体12の空気取り込み口としている。
【００３１】
送風機９はファンモーターのようなもので、送風機９は後方板10に取り付ける。
【００３２】
空気排出口11は、後方板10の送風機９の羽根に対応する位置に多数の孔として設ける。
【００３３】
空気取り込み口４から取り込んだ清浄化すべき空気20は、大半が層状流21として１段目の光触媒坦持体12を通過する。一部は傍流22として光触媒坦持体12の紫外線光源14との最接近部15と紫外線光源14の延長線16上を離れて両脇からも通過する。
【００３４】
１段目の光触媒坦持体12を通過した空気は、２段目の光触媒坦持体12の空気取り込み口としての、１段目中仕切板５の空気流通口６により絞られ、大半が層状流23として２段目の光触媒坦持体12を通過する。
【００３５】
このとき、光触媒坦持体12の紫外線光源14との最接近部15と紫外線光源14の延長線16上に細長い空気取り込み口４，６を設け、清浄化すべき空気20を細長い紫外線光源14に合わせた狭い幅の層状流21，23として空気取り込み口４，６から取り込み、光触媒の充分に励起され活性化している最接近部15を主に通過するから、光触媒による分解反応の効率が良い。
【００３６】
２段目の光触媒坦持体12を通過した空気は、２段目中仕切板７の空気流通口８により絞られ、清浄流24として送風機９に向かう。
【００３７】
送風機９は空気排出口11から清浄化された空気25を排出する。
【実施例２】
【００３８】
図３は、本発明の第２実施例に係る空気清浄装置30の上面を切り欠いた平面図であって、空気清浄装置30は比較的大型で病院の待合室用などの場合を想定しており、空気清浄装置30の一部を示している。
【００３９】
空気清浄装置30には、箱状の筐体31内に多数の光触媒坦持体12と紫外線光源14と、図示しない送風機を設ける。ここで、第１実施例と同じ番号で示しているものは第１実施例と同じであり、説明を省略する。
【００４０】
筐体31内の光触媒坦持体12と紫外線光源14のセットは多列、多段に設け、列間は空気が流通できるように隙間を開け、１段目と２段目は交互に位置を半ピッチずらしている。つまり、２段目の光触媒坦持体12の紫外線光源14との最接近部15と紫外線光源14の延長線16上に１段目の隙間を開けた列間が位置する。
【００４１】
１段目の光触媒坦持体12の紫外線光源14との最接近部15と紫外線光源14の延長線16上に細長い空気取り込み口32を設け、空気取り込み口32から清浄化すべき空気20を細長い紫外線光源14に合わせた狭い幅の層状流21として取り込む。
【００４２】
空気取り込み口32から取り込んだ清浄化すべき空気20は、大半が層状流21として１段目の光触媒坦持体12を通過する。一部は傍流33として１段目の光触媒坦持体12の隙間を開けた列間へと向かう。
【００４３】
１段目の光触媒坦持体12を通過した清浄流34は、２段目の光触媒坦持体12の隙間を開けた列間へと向かう。１段目の光触媒坦持体12の隙間を開けた列間を通過した空気は、層状流35として２段目の光触媒坦持体12を通過する。
【００４４】
このとき、光触媒坦持体12の紫外線光源14との最接近部15と紫外線光源14の延長線16上に細長い空気取り込み口32を設け、清浄化すべき空気20を細長い紫外線光源14に合わせた狭い幅の層状流21として空気取り込み口32から取り込み、光触媒の充分に励起され活性化している最接近部15を主に通過するから、光触媒による分解反応の効率が良い。
【００４５】
多段の光触媒坦持体12を通過して正常化された空気は、送風機により排出する。
【実施例３】
【００４６】
図４は、本発明の第３実施例に係る空気清浄装置40の上面を切り欠いた平面図であって、空気清浄装置40は第１実施例に係る空気清浄装置１の光触媒坦持体12の変形例を示すもので、空気清浄装置40には箱状の筐体42内に光触媒坦持体41と紫外線光源14と送風機９を設ける。ここで、第１実施例と同じ番号で示しているものは第１実施例と同じであり、説明を省略する。
【００４７】
筐体42の前方板43に空気取り込み口４を設け、筐体42の後方板44に空気排出口11を設け、光触媒坦持体41は前方板43側に、送風機９は後方板44側に設ける。
【００４８】
光触媒坦持体41は、セラミックス質の多孔性基材の坦持体に酸化チタンなどの光反応性半導体を坦持させた、所定の厚みがあり硬質の光触媒の坦持体を示している。
【００４９】
光触媒坦持体41は、筐体42内幅いっぱいの幅がある２枚の坦持体の板と、その２枚の坦持体の板の間をつなぐ狭い幅の４枚の坦持体の板を等間隔に方形に組合せ、その内方中心に３本の細長い蛍光管状の紫外線光源14を垂直方向に長く設ける。つまり、細長い紫外線光源14を２枚と４枚の光触媒坦持体41とそれぞれ平行に接近させて配置する。
【００５０】
空気取り込み口４から取り込んだ清浄化すべき空気20は、大半が層状流21として光触媒坦持体41を通過する。一部は傍流44として光触媒坦持体41の狭い幅の４枚の光触媒層へと向かう。
【００５１】
このとき、光触媒坦持体41の紫外線光源14との最接近部15と紫外線光源14の延長線16上に細長い空気取り込み口４を設け、清浄化すべき空気20を細長い紫外線光源14に合わせた狭い幅の層状流21として空気取り込み口４から取り込み、光触媒の充分に励起され活性化している最接近部15を主に通過するから、光触媒による分解反応の効率が良い。
【実施例４】
【００５２】
図５は、本発明の第４実施例に係る空気清浄装置50の上面を切り欠いた平面図であって、空気清浄装置50は第１実施例に係る空気清浄装置１の光触媒坦持体12を空気を通しにくい光触媒坦持体51に変えた例を示すもので、空気清浄装置50には箱状の筐体54内に光触媒坦持体51と紫外線光源14と送風機９を設ける。ここで、第１実施例と同じ番号で示しているものは第１実施例と同じであり、説明を省略する。
【００５３】
筐体54の前方板55に空気取り込み口４を設け、筐体54の後方板60に空気排出口11を設け、光触媒坦持体51は前方板55側に、送風機９は後方板60側に設ける。
【００５４】
光触媒坦持体51は、アルミ繊維やガラス繊維基材の坦持体に酸化チタンなどの光反応性半導体を坦持させた、比較的薄く軟質の光触媒の坦持体を示している。
【００５５】
光触媒坦持体51は紫外線光源14を囲むように一枚の板を折り曲げて方形に配置し、紫外線光源14と空気取り込み口４または空気取り込み口としての空気流通口57，59の間の光触媒坦持体51を開口52する。つまり、紫外線光源14に向かう層状流21，62，63の流れ方向の光触媒坦持体51を開口52し、層状流21，62，63を開口52から光触媒坦持体51内に取り込むようにした。
【００５６】
このとき、光触媒坦持体51は紫外線光源14を囲むように配置し、紫外線光源14と空気取り込み口４，57，59の間の光触媒坦持体51を開口52し、層状流21，62，63を開口52から光触媒坦持体51内に取り込むようにし、紫外線光源14を囲む光触媒坦持体51の面積は開口52の面積より多くなるから、空気を通しにくい光触媒坦持体51でも背圧を高めることなく充分に光触媒坦持体51を通過できる。
【００５７】
この光触媒坦持体51と紫外線光源14のセットを２列３段に筐体54内の前方板55側から設ける。
【００５８】
筐体54内の光触媒坦持体51と紫外線光源14のセットの１段目と２段目の間に１段目中仕切板56を設け、光触媒坦持体51と紫外線光源14のセットの２段目と３段目の間に２段目中仕切板58を設ける。
【００５９】
光触媒坦持体51は略コの字形の保持枠53に保持され、光触媒坦持体51と紫外線光源14のセットの１段目用の保持枠53は前方板55に取り付けられ、光触媒坦持体51と紫外線光源14のセットの２段目用の保持枠53は１段目中仕切板56に取り付けられ、光触媒坦持体51と紫外線光源14のセットの３段目用の保持枠53は２段目中仕切板58に取り付けられる。保持枠53の光触媒坦持体51と接する部分には多数の小孔を設けて空気を流通させ、他の部分は空気が流通しないように密閉される。
【００６０】
１段目の光触媒坦持体51の紫外線光源14との最接近部と紫外線光源14の延長線上に細長い空気取り込み口４を設け、空気取り込み口４から清浄化すべき空気20を細長い紫外線光源14に合わせた狭い幅の層状流21として取り込む。つまり、層状流21は細長い空気取り込み口４から流入し、層状流21の流れ方向は光触媒坦持体51の紫外線光源14との最接近部と紫外線光源14の延長線上となる。
【００６１】
２段目の光触媒坦持体51の紫外線光源14との最接近部と紫外線光源14の延長線上に、空気取り込み口４よりはやや広幅の、１段目中仕切板56には空気流通口57を、２段目中仕切板58には空気流通口59を設ける。１段目中仕切板56の空気流通口57は、２段目の光触媒坦持体51の空気取り込み口とし、２段目中仕切板58の空気流通口59は、３段目の光触媒坦持体51の空気取り込み口としている。
【００６２】
空気取り込み口４から取り込んだ清浄化すべき空気20は、大半が層状流21として１段目の開口52から光触媒坦持体51内に取り込む。ごく一部は傍流として光触媒坦持体51の前面を通過して光触媒坦持体51内に入り込む。光触媒坦持体51内に取り込まれた大半の層状流21は、紫外線光源14を回り込んで光触媒坦持体51の後面を通過するが、一部は光触媒坦持体51の両側面から側面通過流61として通過する。
【００６３】
１段目の光触媒坦持体51を通過した空気は、１段目中仕切板56の空気流通口57により絞られ、大半が層状流62として２段目の光触媒坦持体51を通過する。同様に、２段目の光触媒坦持体51を通過した空気は、２段目中仕切板58の空気流通口59により絞られ、大半が層状流63として３段目の光触媒坦持体51を通過する。
【００６４】
このとき、光触媒坦持体51の紫外線光源14との最接近部15と紫外線光源14の延長線16上に細長い空気取り込み口４，57，59を設け、清浄化すべき空気20を細長い紫外線光源14に合わせた狭い幅の層状流21，62，63として空気取り込み口４，57，59から取り込み、光触媒の充分に励起され活性化している最接近部15を主に通過するから、光触媒による分解反応の効率が良い。
【００６５】
３段目の光触媒坦持体51を通過した空気は、清浄流64として送風機９に向かう。
【実施例５】
【００６６】
図７は、本発明の第５実施例に係る空気清浄装置70の上面を切り欠いた平面図であって、空気清浄装置70は第１実施例に係る空気清浄装置１の光触媒坦持体12の配置の変形例を示すもので、空気清浄装置70には円筒形状の筐体71内に光触媒坦持体12と紫外線光源14と、図示しない送風機を設ける。ここで、第１実施例と同じ番号で示しているものは第１実施例と同じであり、説明を省略する。
【００６７】
筐体71の円周側面に等間隔に複数の空気取り込み口４を設け、複数の空気取り込み口４に対応する光触媒坦持体12と紫外線光源14のセットを筐体71内の外周方向に等間隔に円形に配列する。
【００６８】
空気取り込み口４から取り込んだ清浄化すべき空気20は、大半が層状流として光触媒坦持体12を通過する。一部は傍流として光触媒坦持体12の紫外線光源14との最接近部と紫外線光源14の延長線上を離れて両脇からも通過する。
【００６９】
光触媒坦持体12を通過した清浄流72は中心部に集まり、上方に設けた送風機から上方に排出される。
【００７０】
このとき、筐体71の側面に複数の空気取り込み口４を設け、紫外線光源14を垂直方向に長く設け、光触媒坦持体12は紫外線光源14を囲むように配置し、複数の空気取り込み口４に対応する光触媒坦持体12と紫外線光源14のセットを筐体71内の外周方向に円形に配列したから、紫外線光源14を長くし出力を上げて清浄化能力を高めても、高さが高くなるだけで設置面積は変わらず、狭い場所にも設置できる。
【実施例６】
【００７１】
図８及び図９は、本発明の第６実施例に係る空気清浄装置の空気取り込み口4a，4bの上面を切り欠いた平面図であって、空気取り込み口4a，4bは第１実施例に係る空気取り込み口４の幅を調節可能としたものである。ここで、第１実施例と同じ番号で示しているものは第１実施例と同じであり、説明を省略する。
【００７２】
図８の空気取り込み口4aは狭い幅の開口を示しており、前方板３に狭い幅の開口を有する開口調節具17aをはめ込んでいる。送風機９の能力が同じとすれば、狭い幅の空気取り込み口4aを通過した層状流21の幅は狭く、流速は速くなる。
【００７３】
この狭い幅の空気取り込み口4aは、汚染物質の量が少ない場合に用い、素早く光触媒坦持体12を通過させて処理空気量を多くできる。
【００７４】
図９の空気取り込み口4bは広い幅の開口を示しており、前方板３に広い幅の開口を有する開口調節具17bをはめ込んでいる。送風機９の能力が同じとすれば、広い幅の空気取り込み口4bを通過した層状流21の幅は広く、流速は遅くなる。
【００７５】
この広い幅の空気取り込み口4bは、汚染物質の量が多い場合に用い、ゆっくりと光触媒を通過させて分解効率を高められる。
【００７６】
このように、広狭の空気取り込み口4a，4bにより層状流21の幅を調節可能とし、層状流21の流速を清浄化すべき空気20の汚染物質の多少に対応して増減する。
【００７７】
このとき、空気取り込み口4a，4bの幅を調節可能とし、層状流21の流速を清浄化すべき空気20の汚染物質の多少に対応して増減し、汚染物質の量が多い場合にはゆっくりと光触媒坦持体12を通過させて分解効率を高められ、汚染物質の量が少ない場合には素早く光触媒坦持体12を通過させて処理空気量を多くできる。
【００７８】
なお、空気取り込み口4a，4bの幅を調節可能とするとともに、送風機９の送風能力も合わせて増減可能とすることにより、より高い効果が期待される。
【００７９】
以上の実施例では、光触媒坦持体12，41，51が紫外線光源14を方形に囲んで紫外線光源14を光触媒坦持体12，41，51と平行に接近させて配置した例を示したが、光触媒坦持体が紫外線光源14を円形に囲むようにする、あるいは平板状の光触媒坦持体と紫外線光源14を平行に接近させて配置しても良い。
【００８０】
また、光触媒坦持体12，41，51としてセラミックス質の多孔性基材のもの、あるいはアルミ繊維やガラス繊維基材のものを示したが、その他の金属繊維基材（ステンレスなど）や植物繊維基材あるいは合成繊維基材などを用いても良い。
【００８１】
また、紫外線光源14として細長い蛍光管状（円筒形）のブラックライトを示したが、紫外線光源14は紫外光を発する細長い形状のものであれば良く、水銀灯のように紡錘系のものを用いても良い。その場合、空気取り込み口４，６，32，57，59の幅も一様とせず、両端部より中央部を広くしても良い。
【００８２】
また、狭い幅の開口を有する開口調節具17aと広い幅の開口を有する開口調節具17bを交換して空気取り込み口4a，4bの幅を調節する例を示したが、シャッターをスライドさせて空気取り込み口の幅を調節するようにしても良い。
【図面の簡単な説明】
【００８３】
【図１】第１実施例に係る空気清浄装置１の上面を切り欠いた平面図である。
【図２】その部分拡大図である。
【図３】第２実施例に係る空気清浄装置30の上面を切り欠いた平面図である。
【図４】第３実施例に係る空気清浄装置40の上面を切り欠いた平面図である。
【図５】第４実施例に係る空気清浄装置50の上面を切り欠いた平面図である。
【図６】その光触媒坦持体51の斜視図である。
【図７】第５実施例に係る空気清浄装置70の上面を切り欠いた平面図である。
【図８】第６実施例に係る空気清浄装置の空気取り込み口4aの上面を切り欠いた平面図である。
【図９】第６実施例に係る空気清浄装置の空気取り込み口4bの上面を切り欠いた平面図である。
【符号の説明】
【００８４】
１  空気清浄装置
４  空気取り込み口
4a  空気取り込み口
4b  空気取り込み口
６  空気取り込み口
９  送風機
12  光触媒坦持体
14  紫外線光源
15  最接近部
16  延長線
20  清浄化すべき空気
21  層状流
23  層状流
30  空気清浄装置
32  空気取り込み口
35  層状流
41  光触媒坦持体
51  光触媒坦持体
52  開口
40  空気清浄装置
50  空気清浄装置
57  空気取り込み口
59  空気取り込み口
62  層状流
63  層状流
70  空気清浄装置
71  筐体
【図１】
2005245551.tif 000003
【図２】
2005245551.tif 000004
【図３】
2005245551.tif 000005
【図４】
2005245551.tif 000006
【図５】
2005245551.tif 000007
【図６】
2005245551.tif 000008
【図７】
2005245551.tif 000009
【図８】
2005245551.tif 000010
【図９】
2005245551.tif 000011